(57)【特許請求の範囲】
【請求項１】
起動すべき動作モードを受け付けるユーザインターフェイスと、
前記動作モードに対応する、複数パケットを含む制御コマンドを送信する送信部と、
を具備し、
前記複数パケットは、合計個数が所定個数のアドレスを含み、
前記制御コマンドは、前記複数パケットの各パケットに含まれるアドレスの個数により異なる動作モードを示す、情報端末装置。
【請求項２】
前記制御コマンドは、前記送信部が電源をオンする対象機器に送信するＷｏＬ（Wake on LAN（ウエイク−オン−ラン））パケットである請求項１の情報端末装置。
【請求項３】
前記アドレスは、ＭＡＣ（media access control（マック））アドレスを含む請求項１または２の情報端末装置。
【請求項４】
合計個数が所定個数で、電子機器に固有のアドレスを含む複数パケットからなり、各パケットが電子機器に固有のアドレスを所定個含む制御コマンドを取得する受信部と、
前記パケットの数と前記各パケットが含む前記アドレスの数に基づいて起動すべき動作モードを設定する設定部と、
前記設定部が設定する動作モードで電子機器を起動する起動部と、
を具備する電子機器。
【請求項５】
前記アドレスは、ＭＡＣ（media access control（マック））アドレスを含む請求項４の電子機器。
【請求項６】
前記制御コマンドは、電子機器を起動するＷｏＬ（Wake on LAN（ウエイク−オン−ラン））パケットである請求項４または５記載の電子機器。
請求項
【請求項７】
前記起動部が前記電子機器を起動する前記動作モードを表示する表示部を、さらに具備する請求項４〜６のいずれかの電子機器。
【請求項８】
合計個数が所定個数で、電子機器に固有のアドレスを含む複数パケットからなり、各パケットが電子機器に固有のアドレスを所定個含む制御コマンドからパケットの数と各パケット内の固有のアドレスの個数を取得し、
各パケットのアドレスの数と取得したパケットの数が設定する起動時の動作モードを特定し、
特定した動作モードを表示するための表示信号を出力する
映像表示方法。
【発明の詳細な説明】
【技術分野】
【０００１】
本発明の実施の形態は、映像表示装置、情報端末装置及び映像表示方法に関する。
【背景技術】
【０００２】
デジタル放送の普及と通信網の整備により、デジタル放送を受信する映像表示装置は、空間波により供給される放送に加え、配信事業者等が提供するさまざまな放送（番組）やコンテンツの表示が可能である。また、番組やコンテンツの供給元の増加に伴い、起動時の動作モードを、空間波によるテレビ放送の受信モードとすることを必要としないユーザも増えつつある。
【先行技術文献】
【特許文献】
【０００３】
【特許文献１】特開２００８−２８７６１３号公報
【発明の概要】
【発明が解決しようとする課題】
【０００４】
起動時の動作モードが空間波によるテレビ放送の受信モードであることを必要としない場合、映像表示装置の起動が終了した時点で希望する動作モードを入力した後、その動作モードに切り替わるまでの間、待ち時間が生じる。
【０００５】
本発明の目的は、希望する動作モードで起動する映像表示装置及び映像表示方法、ならびにその制御が可能な情報端末装置を提供することである。
【課題を解決するための手段】
【０００６】
実施形態の情報端末装置は、ユーザインターフェイスと、送信部と、を具備する。ユーザインターフェイスは、起動すべき動作モードを受け付ける。送信部は、前記動作モードに対応する、複数パケットを含む制御コマンドを送信する。前記複数パケットは、合計個数が所定個数のアドレスを含み、前記制御コマンドは、前記複数パケットの各パケットに含まれるアドレスの個数により異なる動作モードを示す。
【図面の簡単な説明】
【０００７】
【図１】実施形態を適用する起動システムの一例を示す概略図。
【図２】実施形態を適用する送信装置（情報端末装置）の一例を示す概略図。
【図３】実施形態を適用する受信装置（テレビ装置）の一例を示す概略図。
【図４】実施形態を適用する起動信号の一例を示す概略図。
【図５】実施形態を適用する起動信号に対応する起動モードリストの一例を示す概略図。
【図６】実施形態を適用する送信装置の動作の一例を示す概略図。
【図７】実施形態を適用するテレビ装置（受信装置）の動作の一例を示す概略図。
【図８】実施形態を適用する起動信号の一例を示す概略図。
【図９】実施形態を適用する起動信号の一例を示す概略図。
【発明を実施するための形態】
【０００８】
以下、実施の形態について図面を参照して説明する。
【０００９】
図１は、実施形態を適用する映像表示装置及び映像表示方法、ならびにその制御が可能な情報端末装置を含む映像表示システムの一例を示す。なお、以下に説明する要素や構成あるいは機能は、ハードウェアで実現するものであってもよいし、マイクロコンピュータ（処理装置、ＣＰＵ）等を用いてソフトウエアで実現するものであってもよい。
【００１０】
図１に示す映像表示システムは、ユーザが手元で（携帯した状態で）、操作することが可能で携帯可能な情報端末装置１、映像表示装置の一例であって、デジタルテレビジョン受信装置（以下テレビ装置と示す）３、例えば家庭内に適用される閉じたネットワークである家庭内ＬＡＮ（Local Area Network）における情報端末装置１とテレビ装置３との接続、あるいは外部に位置するサービスサーバと情報端末装置１及びテレビ装置３との間のインターネットを通じた接続を制御するブロードバンドルータ５を含む。
【００１１】
情報端末装置１は、コンテンツあるいは入力動作モード等表示する表示部１１、ユーザによる入力を受けつけるボタン群１３及びタッチパネル１５を備える。なお、タッチパネル１５の少なくとも一部は、表示部１１と一体的に設けられる。また、ボタン群１３の少なくとも一部は、タッチパネル１５が表示する、例えばボタン形状あるいはアイコン等の任意の表示にユーザの指等が触れることを検出するタッチセンサ方式であることが好ましい。
【００１２】
情報端末装置１はまた、以下に説明する各ブロックの制御及びブロードバンドルータ５との間の通信に利用可能な制御ブロック２１を含む。
【００１３】
制御ブロック２１は、ボタン群１３及びタッチパネル１５からの入力信号を受けつける入力制御部２３、ユーザの指示に応じて取得したドキュメントや画像、ならびに種々の制御データ等を保持する記憶部２９及び表示部１１が表示するドキュメントや画像の大きさと位置、ドキュメントや画像の表示位置の変更（スクロール）等、及びタッチパネル１５による入力を可能とするための表示を制御する表示制御部３１を含む。なお、これらの各部相互間の信号の受け渡し及びデータの取得等を、主制御部２５が制御する。
【００１４】
制御ブロック２１はまた、主制御部２５の制御の下で動作する通信制御部２７を含み、ブロードバンドルータ５との間の無線方式による家庭内ＬＡＮへのアクセス、及び基地局１０１及び通信会社（キャリア）１０３を経由する無線通信網（データ通信網）を用いるインターネット網への接続が可能である。
【００１５】
また、制御ブロック２１は、テレビ装置３に対して、（テレビ装置３の）起動時の動作モードを設定するための送信パケット処理部３５及び送信パケット処理部３５が参照するパケットリスト３３を含む。なお、パケットリスト３３は、記憶部２９が一体に保持することができる。
【００１６】
テレビ装置３は、空間波として供給されるデジタル放送あるいは配信事業者が提供する放送（番組）もしくはコンテンツを受信し、映像及び音声を再生するもので、映像またはドキュメントもしくはＷｅｂページを表示する表示部１１１を有する。
【００１７】
テレビ装置３は、入力制御部１２３、主制御部１２５、通信制御部１２７、記憶部１２９、表示制御部１３１、映像処理部１３３、復調部１３５、選局部１３７、音声処理部１３９、及び受信パケット処理部１４５等を少なくとも含み、それぞれを制御する制御ブロック１２１を含む。
【００１８】
入力制御部１２３は、例えば赤外線入力部１４１を介し、例えばリモートコントローラ（リモコン端末）により入力される制御入力（制御コマンド）を受けつける。
【００１９】
主制御部１２５は、入力制御部１２３が受けつけた制御コマンド（制御入力）に応じ、上述の各部を制御するための所定の制御信号を出力する。
【００２０】
通信制御部１２７は、テレビ装置３を家庭内ＬＡＮ上に位置する制御対象の一つとして動作可能に、ブロードバンドルータ５を経由する制御入力、例えば情報端末装置１が供給するＷｏＬ（Wake on LAN，ウエイク−オン−ラン）パケットを受信する。また、通信制御部１２７は、ブロードバンドルータ５を経由して外部ネットワーク（インターネット網）と接続し、例えばオンデマンド配信される番組や、ネットワークを通じて番組を供給する有線系配信事業者が用意する番組を取得（受信）する。
【００２１】
なお、テレビ装置３における記憶部１２９、表示制御部１３１、映像処理部１３３、復調部１３５、選局部１３７及び音声処理部１３９等のそれぞれは、一般的な構成の一例であり、詳細な説明は省略するが、選局部１３７が選局したチャンネル（の番組）を復調部１３５が復調し、復調部１３５が出力する番組について、映像処理部１３３及び音声処理部１３９が、それぞれ、（ビデオと称することもある）映像信号及び（オーディオと称することもある）音声信号を再生する。
【００２２】
映像処理部１３３が再生した映像（ビデオ）信号は、表示制御部１３１を通じ、表示部１１１（あるいは外部映像出力端）に出力される。
【００２３】
音声処理部１３９が再生した音声（オーディオ）信号は、例えばスピーカー（あるいは外部音声出力端）に出力される。
【００２４】
受信パケット処理部１４５は、起動モードリスト１４３を参照し、起動モードリスト１４３に記録されている起動モードに従い、通信制御部１２７を通じて取得した情報端末装置１からのＷｏＬパケットにより特定される起動モードでテレビ装置３を起動するよう、主制御部１２５に通知する。換言すると、主制御部１２５は、テレビ装置３の起動に際し、受信パケット処理部１４５に、通信制御部１２７を通じて取得した情報端末装置１からの起動時の動作モードの指示があるか否かを判定し、動作モードが指示されている場合は、その（指示された）動作モードでテレビ装置３を起動する。
【００２５】
なお、実施形態においては、情報端末装置１とテレビ装置３との間は、ローカルエリアネットによる接続を例に説明するが、ブロードバンドルータ５が無線ＬＡＮ機能を有することで、主として情報端末装置１とテレビ装置３との間の無線接続、及びインターネット網を経由するサービスサーバとテレビ装置３との間の有線接続の切り替えが可能である。
【００２６】
図２は、情報端末装置の送信パケット処理部とその周辺の要素の一例を示す。
【００２７】
ユーザインターフェイス部すなわち図１における表示部１１、ボタン群１３及びタッチパネル１５は、制御バスを通じ、ＷｏＬパケット生成部３７（図１における送信パケット処理部３５と実質的に同等）、及びＷｏＬパケット生成リスト３９（図１に示したパケットリスト３３と実質的に同等）と接続する。また、図１に示したアンテナ及び通信制御部２７が、図１に示した主制御部２５の制御の下で、送信部４１として機能する。
【００２８】
ユーザインターフェイス部のタッチパネル１５は、表示部１１が表示したボタン表示、またはアイコンにより特定される任意の起動モード、すなわちテレビ装置３を起動する際に、テレビ装置３が起動すべき動作モードに対応する制御コマンドを主制御部２５に指示できる。
【００２９】
表示部１１は、例えば「録画モード」での起動を指示可能な『録画モード』表示（図１における表示１５ａ）、例えば「インターネット」への接続を指示可能な『アプリ（アプリケーション）１』表示（図１における表示１５ｂ）、あるいは空間波にて供給される放送とは異なる特定の配信事業者の放送（番組）の受信（取得）のための、例えば「ＳＴＢ（Set Top Box，外部チューナ等）」への接続を指示可能な『アプリ（アプリケーション）２』表示（図１における表示１５ｃ），・・・，等を表示する。もちろん、表示部１１が表示する上述の『録画モード』表示、『アプリ（アプリケーション）１』表示、及び『アプリ（アプリケーション）２』表示等は、それぞれの起動対象を示す『ロゴマーク』や『愛称』であってもよい。
【００３０】
タッチパネル１５により、表示部１１が表示する上述のアイコンあるいはボタン表示に対応する制御コマンドが入力されると、ＷｏＬパケット生成リスト３９が参照され、入力された制御コマンドに対応するＷｏＬパケットがＷｏＬパケット生成部３７により生成され、送信部４１から送信される。
【００３１】
図３は、テレビ装置の受信パケット処理部とその周辺の要素の一例を示す。
【００３２】
受信パケット処理部１４５は、実質的に、図１に示した通信制御部１２７及び主制御部１２５からなる受信部１４７を通じて受信したＷｏＬパケットが規定する動作モード（起動モード）を特定するＷｏＬパケット処理部１４９、及びＷｏＬパケット処理部１４９が起動モードリスト１４３を参照して特定した動作モード、すなわちテレビ装置３が起動した際に表示部１１１が表示すべき、アプリケーション処理部１５１が起動した『アプリケーション』の導入画面の表示（及びそのアプリケーションのバックグラウンドにおける起動）を制御する。なお、実際には、通常のテレビ受信モード等のテレビ装置３に固有の起動ルーチンに従う各動作モードもバックグラウンドにおいて起動するものとする。
【００３３】
図４は、図２により説明した上述のテレビ装置が起動すべき動作モードに対応する制御コマンドを示す。
【００３４】
上述したＷｏＬパケットは、家庭内ネットワーク（ＬＡＮ）上に位置する任意の装置に対して、主電源がオフしている状態で主電源をオンする起動信号であるＷｏＬ（ウエイク−オン−ラン）信号を、その送信時に、任意数に分割したもので、例えば４つのパケットとして、合計１６のＭＡＣ（media access control（マック））アドレスを送信することを特徴とする。マックアドレスは、例えば「００，１１，２２，３３，４４，５５」等のテレビ装置３に固有の情報であり、テレビ装置３がＬＡＮ上に位置する場合、通常、情報端末装置１が自動的に取得できる。
【００３５】
すなわち、現行のＷｏＬ信号は、マックアドレスを１６個送信することで、対象の装置（テレビ装置３）の電源をオンさせることができる。
【００３６】
ここで、１６個のマックアドレスを、例えば４つのグループ（パケット）として送信することで、テレビ装置３が、それぞれのパケットが含むマックアドレスの個数に従い、上述した起動モード（最初に起動すべきアプリケーション）を識別可能な起動信号を出力できる。
【００３７】
すなわち、１６個のマックアドレスを４つのパケットに区分して送信する際に、その４つのパケットが含むマックアドレスの個数の組み合わせに従い、テレビ装置３の起動時に最初に起動すべき動作モード（アプリケーション）を設定できる。
【００３８】
例えば、図４が示す通り、先頭（第１）のパケットが含むマックアドレスの個数を８、第２のパケットが含むマックアドレスの個数を４、第３のパケットが含むマックアドレスの個数を３、第４（最終）のパケットが含むマックアドレスの個数を１、とした場合、例えばテレビ装置３の表示部１１１がオンした時点で、「インターネット」への接続のためのブラウザ画面が表示される（図１参照）、等の起動時の動作モードを設定できる。
【００３９】
図５は、起動信号に対応する起動モードリストの一例を示し、パケット数を４つとした場合を例に、個々のパケットが含むマックアドレスの個数の組み合わせと起動モードの例を示す。
【００４０】
すなわち、図４において例示した起動モードを含む４つのパケットのそれぞれが含むマックアドレスの個数を任意に組み合わせることで、複数の起動モードを設定できる。
【００４１】
なお、パケット（グループ）の分割数は、４である必要は無く、例えば『６』あるいは『８』等、１６個のマックアドレスを区分できるさまざまな分割数を利用できる。
【００４２】
図６は、情報端末装置が上述したＷｏＬパケットを送信する動作の一例を示す。
【００４３】
ユーザインターフェイス部（表示部及びタッチパネル）において「起動モード」が選択され、対応する制御コマンドが入力される［０１］。
【００４４】
入力された制御コマンドに従い、ＷｏＬパケット生成リスト（パケットリスト３３）から、パケットの個数及びそれぞれのパケットが含むマックアドレスの個数を取得する［０２］。
【００４５】
取得したパケットの個数及びマックアドレスの個数に従い、ＷｏＬパケット生成部３７において、パケットを生成する［０３］。
【００４６】
生成されたＷｏＬパケットを送信部４１（通信制御部２７及びアンテナ）から送信する［０４］。
【００４７】
図７は、上述したＷｏＬパケットを受信したテレビ装置側の動作の一例を示す。
【００４８】
受信部１４７（通信制御部１２７）でＷｏＬパケットを受信する［１１］。
【００４９】
ＷｏＬパケット処理部１４９において、各パケットに含まれるマックアドレスの個数を取得する［１２］。
【００５０】
ＷｏＬパケット処理部１４９が取得したマックアドレスの個数（合計）が１６個であることを確認する［１３］。
【００５１】
取得（受信）したマックアドレスの数が１６である場合［１４−ＹＥＳ］、起動モードリスト１４３を参照して起動モードを取得し、起動モードを決定する［１５］。
【００５２】
決定した起動モードを、アプリケーション処理部１５１に通知する［１６］。リストから起動モードが取得できない場合、通常のテレビ受信モード等のテレビ装置３に固有の起動ルーチンに従う動作モードで起動する。
【００５３】
以下、アプリケーション処理部１５１において、ユーザインターフェイス部（表示部及びタッチパネル）において指示された起動モードに合せて、テレビ装置３が起動した際に表示部１１１が表示すべき、『アプリケーション』の導入画面の表示（及びそのアプリケーションのバックグラウンドにおける起動）が実行される［１７］。
【００５４】
なお、１６個のマックアドレスを取得できない（取得したマックアドレスの個数が１６に満たない）場合［１４−ＮＯ］、所定時間経過後、通常のテレビ受信モード等のテレビ装置３に固有の起動ルーチンに従う動作モードで起動する［１８］。この場合、情報端末装置１により指示された「起動モード（最初に起動すべきアプリケーション）」と一致しない起動モードによる通常モードで起動することになるが、テレビ装置３の表示部１１１に画面（映像等）が表示されるまでの待ち時間が不所望に長くなることを抑止できる。なお、通常モードで起動した時点で、例えば『情報端末装置から指示された動作モードが認識できませんでした。動作モードを変更する場合は、モードを選択してください』等のメッセージを表示することも可能である。
【００５５】
図８は、上述したＷｏＬパケットを用いる制御コマンドの別の例を示す。
【００５６】
例えば、図８に示すように、それぞれのＷｏＬパケットのヘッダー領域に「パケット数（分割数）」が何個であるか（１６個のマックアドレスを何個に区分して送信するか）を示す『分割数「ｎ」』等、を付加してもよい。
【００５７】
『分割数「ｎ」』を伴うことで、図７に示した例において、マックアドレスを取得する際に、読取エラーあるいは送信エラー等により、１６個のマックアドレスを取得できない（取得したマックアドレスの個数が１６に満たない）と判定するまでに必要な時間を低減できる。
【００５８】
図９は、上述したＷｏＬパケットを用いる制御コマンドの別の例を示す。
【００５９】
例えば、図９に示すように、最後部のパケットを除くそれぞれのＷｏＬパケットのヘッダー部に、残りのＷｏＬパケットの個数を示す『残りＷｏＬパケット個数情報』または『次のパケットもＷｏＬパケットであることを示す情報』等、を付加してもよい。
【００６０】
『残りＷｏＬパケット個数情報』あるいは『次のパケットもＷｏＬパケットであることを示す情報』を伴うことで、ＷｏＬパケットを用いる起動信号が供給されていることを、テレビ装置３側で把握できる。従って、読取エラーあるいは送信エラー等により、１６個のマックアドレスを取得できない（取得したマックアドレスの個数が１６に満たない）と判定するまでに必要な時間を低減できる。
【００６１】
なお、上述したＷｏＬパケットを用いる起動時の動作モードを設定するソフトウエア／アプリケーションは、例えば情報端末装置１に予めセットされていても良いし、サービスサーバから取得（ダウンロード）する形態であっても良い。また、単独で販売されるテレビ装置にあらかじめ用意されてもよいし、サービスサーバとの接続があった場合に、更新（アップロード）する形態であってもよい。
【００６２】
また、映像表示装置はテレビ装置に限るものではなく、例えばパーソナルコンピュータ（ＰＣ）であってもよい。
【００６３】
また、情報端末装置は、携帯可能なパーソナルコンピュータ（タブレットＰＣ）あるいはスマートフォンと呼ばれる多機能携帯電話装置、もしくはデジタルドキュメントの閲覧が可能な携帯電話装置等を含む。
【００６４】
以上説明した通り、本実施の形態により、ユーザが利用したいアプリケーションを映像表示装置（テレビ装置）の起動とともに、（情報端末装置側からの起動指示により）立ち上げることができる。
【００６５】
これにより、多くのアプリケーションが搭載されることにより、起動が終了するまでの時間が長くなる場合がある映像表示装置（テレビ装置）において、（ユーザが起動を指示した）特定のアプリケーションを優先して起動することが可能となり、ユーザから、起動が速くなった、という理解を得ることができる（ユーザに、起動が速くなったように見せることができる）。
【００６６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６７】
１…情報端末装置、３…テレビ装置、５…ブロードバンドルータ、１１…表示部（端末装置）、１５…タッチパネル、３１…表示制御部（端末装置）、３７…ＷｏＬパケット生成部、３９…ＷｏＬパケット生成リスト、１１１…表示部（テレビ装置）、１３１…表示制御部（テレビ装置）、１４３…起動モードリスト、１４９…ＷｏＬパケット処理部、１５１…アプリケーション処理部。
【図１】
0005121977.tif 000002
【図２】
0005121977.tif 000003
【図３】
0005121977.tif 000004
【図４】
0005121977.tif 000005
【図５】
0005121977.tif 000006
【図６】
0005121977.tif 000007
【図７】
0005121977.tif 000008
【図８】
0005121977.tif 000009
【図９】
0005121977.tif 000010